(57)【要約】  本発明は、コネクタであって、連結ピースによって互いに連結された複数のコネクタウェハを具備するコネクタを開示するものである。各コネクタウェハは、複数のコンタクト部材からなるカラムを収容するためのハウジングを備えている。このハウジングは、両サイドに位置したサイドエッジと、コンタクト部材に対するアクセスを可能とする開口を有した挿入サイドと、背面と、互いに反対側に位置した両主面と、を備えている。連結ピースには、各コネクタウェハに関し、コネクタウェハの対応連結手段に対して係合し得る連結手段が設けられている。連結ピースのうちの、コネクタウェハに対して係合する各連結手段は、隣接したコネクタウェハに対して係合している隣接した連結手段に対してオフセットされており、これにより、複数のコンタクト部材からなる互いにオフセットされた複数のカラムが構成されている。
2008503861.tif 000002
【特許請求の範囲】
【請求項１】
コネクタであって、
連結ピースによって互いに連結された複数のコネクタウェハを具備し、
各コネクタウェハが、複数のコンタクト部材からなるカラムを収容するためのハウジングを備え、
このハウジングが、両サイドに位置したサイドエッジと、前記コンタクト部材に対するアクセスを可能とする開口を有した挿入サイドと、背面と、互いに反対側に位置した両主面と、を備え、
前記連結ピースには、各コネクタウェハに関し、前記コネクタウェハの対応連結手段に対して係合し得る連結手段が設けられ、
このようなコネクタにおいて、
前記連結ピースのうちの、前記コネクタウェハに対して係合する前記各連結手段が、隣接したコネクタウェハに対して係合している隣接した連結手段に対してオフセットされており、これにより、複数のコンタクト部材からなる互いにオフセットされた複数のカラムが構成されていることを特徴とするコネクタ。
【請求項２】
請求項１記載のコネクタにおいて、
前記コネクタウェハの前記連結手段が、前記コネクタウェハの一方または双方の前記サイドエッジ上において、前記挿入サイドから前記背面へと向かう方向に延在している連結リッジとして構成され、
前記連結ピースの前記連結手段が、前記コネクタウェハの前記連結リッジを受領し得るよう構成された連結スロットとして構成され、
前記連結スロットおよび前記連結リッジが、好ましくは、鳩尾形状という横断面形状を有していることを特徴とするコネクタ。
【請求項３】
請求項２記載のコネクタにおいて、
前記連結ピースが、前記コネクタウェハの前記挿入サイドにまで延在したものとされ、
前記連結ピースの外面には、前記挿入サイドのところにおいて、分極部材および／またはコーディング部材が設けられていることを特徴とするコネクタ。
【請求項４】
請求項３記載のコネクタにおいて、
前記連結リッジおよび前記連結スロットが、前記コネクタウェハの前記挿入サイドにまで延在したものとされていることを特徴とするコネクタ。
【請求項５】
請求項１〜４のいずれか１項に記載のコネクタにおいて、
前記連結ピースには、オフセットされた前記連結手段の間に、開裂箇所が設けられていることを特徴とするコネクタ。
【請求項６】
請求項５記載のコネクタにおいて、
前記連結ピースには、前記開裂箇所を形成し得るよう、互いに反対側に位置したグルーブが設けられ、
これらグルーブが、好ましくは、Ｖ字形状のものとされていることを特徴とするコネクタ。
【請求項７】
請求項１〜６のいずれか１項に記載のコネクタにおいて、
前記連結ピースには、オフセットされた前記連結手段を有したサイドのところに、前記コネクタウェハの分極手段と協働する分極手段が設けられていることを特徴とするコネクタ。
【請求項８】
請求項７記載のコネクタにおいて、
前記連結ピースの前記分極手段および前記コネクタウェハの前記分極手段が、互いに異なるサイズを有した前記連結スロットおよび前記連結リッジとして形成されていることを特徴とするコネクタ。
【請求項９】
請求項１〜８のいずれか１項に記載のコネクタにおいて、
前記連結ピースには、前記コネクタの前記主面および前記背面の少なくとも一部を囲むカバー部分が設けられていることを特徴とするコネクタ。
【請求項１０】
コネクタであって、
底壁と、互いに反対側に位置しかつ起立した２つの側壁と、を備えたハウジングを具備し、
前記底壁と前記両側壁とによって、コネクタを受領するための受領スペースが形成され、
前記底壁が、複数のコンタクト部材からなる複数のカラムを収容し、
前記両側壁のうちの少なくとも一方には、分極および／またはコーディング手段が設けられ、
このようなコネクタにおいて、
前記分極および／またはコーディング手段が、対応する側壁に対して隣接しつつ前記ハウジング内に着脱可能に取り付けられた少なくとも１つの分極部材の一部とされていることを特徴とするコネクタ。
【請求項１１】
コネクタを組み立てるためのコネクタ組立システムであって、
コネクタウェハと、最大数の互いにオフセットされた一連の連結手段を有した連結ピースと、を具備し、
前記連結ピースには、複数のコンタクト部材からなる様々な数のカラムを有した様々なコネクタの組立を可能とし得るよう、オフセットされた前記連結手段の間に、開裂箇所が設けられていることを特徴とするコネクタ組立システム。
【請求項１２】
請求項１１記載のコネクタ組立システムにおいて、
様々なカラムピッチを有した様々なコネクタの組立を可能とし得るよう、前記連結ピースのオフセットされた前記連結手段が、互いに異なるピッチで離間されていることを特徴とするコネクタ組立システム。
【請求項１３】
コネクタを組み立てるための方法であって、
複数のコネクタウェハを準備するとともに、各コネクタウェハを、ハウジングを備えたものとし、さらに、このハウジングを、両サイドに位置したサイドエッジを有したものとし、さらに、これらサイドエッジの少なくとも一方を、連結手段を有したものとし、
一連をなす複数の連結手段を有した連結ピースを準備し、
少なくとも１つの前記連結ピースを使用して所望数の前記コネクタウェハを連結し、
このような方法において、
前記連結ピースに、前記コネクタウェハの対応連結手段に対して係合し得るよう、互いにオフセットした連結手段を設け、
隣接した前記コネクタウェハを、前記連結ピースを使用して相互連結することにより、オフセットさせつつ位置決めすることを特徴とする方法。
【請求項１４】
請求項１３記載の方法において、
前記連結ピースを、最大数の互いにオフセットされた一連の複数の連結手段を備えたものとするとともに、前記連結手段どうしの間に開裂箇所を設け、
対応する前記開裂箇所のところにおいて前記連結ピースを開裂させることによって前記連結ピースの一部を切り離すことにより、前記コネクタウェハの所望数に応じて、前記連結ピースを調節することを特徴とする方法。
【請求項１５】
請求項１３または１４記載の方法において、
前記連結ピースを、前記コネクタウェハの背面から前記コネクタウェハの挿入サイドへと向かう方向において、所望数のコネクタウェハ上にわたってスライドさせることを特徴とする方法。
【請求項１６】
請求項１３〜１５のいずれか１項に記載の方法において、
様々なピッチでもってオフセットされた複数の連結ピースを準備し、
所望ピッチを有した連結手段を備えた連結ピースを選択し、
選択した連結ピースを、コネクタウェハ上にわたってスライドさせ、
これにより、所望カラムピッチを有したコネクタを形成する、
ことを特徴とする方法。
【発明の詳細な説明】
【技術分野】
【０００１】
本発明は、コネクタに関するものであって、コネクタは、連結ピースによって互いに連結された複数のコネクタウェハを具備し、各コネクタウェハは、複数のコンタクト部材からなるカラムを収容するためのハウジングを備え、このハウジングが、両サイドに位置したサイドエッジと、コンタクト部材に対するアクセスを可能とする開口を有した挿入サイドと、背面と、互いに反対側に位置した両主面と、を備え、連結ピースには、各コネクタウェハに関し、コネクタウェハの対応連結手段に対して係合し得る連結手段が設けられている。本発明は、さらに、コネクタ組立システムに関するものであり、さらに、コネクタの組立方法に関するものである。
【背景技術】
【０００２】
このタイプのコネクタは、特許文献１に開示されている。この公知のコネクタにおいては、一連のカラムをなす複数のコンタクト部材は、互いに位置合わせされている。高速応用において使用されるべきこのタイプのコネクタにおいては、クロストークを低減することが要望されている。特許文献２においては、複数のコンタクト部材からなる互いに隣接したカラムどうしの間にオフセットを設けることにより、クロストークを低減させることができる。
【特許文献１】オランダ国登録特許第１ ０１９ １２２号明細書
【特許文献２】米国特許第６，６５２，３１８号明細書
【発明の開示】
【課題を解決するための手段】
【０００３】
本発明の目的は、改良された高速性能を有しているような、上記タイプのコネクタを提供することである。
【０００４】
本発明においては、連結ピースのうちの、コネクタウェハに対して係合する各連結手段が、隣接したコネクタウェハに対して係合している隣接した連結手段に対してオフセットされており、これにより、複数のコンタクト部材からなる互いにオフセットされた複数のカラムが構成されている。
【０００５】
このようにして、連結ピースの一連の連結手段の間に形成されたオフセットに基づいてコネクタウェハどうしが正確に位置決めされることにより、複数のコンタクト部材からなるとともに互いにオフセットされた複数のカラムが、容易な態様で得られる。
【０００６】
好ましい実施形態においては、コネクタウェハの連結手段は、コネクタウェハの一方または双方のサイドエッジ上において、挿入サイドから背面へと向かう方向に延在している連結リッジとして構成され、連結ピースの連結手段は、コネクタウェハの連結リッジを受領し得るよう構成された連結スロットとして構成され、連結スロットおよび連結リッジは、好ましくは、鳩尾形状という横断面形状を有している。これにより、比較的長尺の位置決め長さに沿って連結リッジと連結スロットとが協働した際には、コネクタウェハどうしの正確な位置決めが得られる。
【０００７】
本発明においては、連結ピースは、コネクタウェハの挿入サイドにまで延在したものとすることができ、連結ピースの外面には、挿入サイドのところにおいて、分極部材および／またはコーディング部材が設けることができる。これにより、各コネクタに対して、必要に応じて、分極部材および／またはコーディング部材を設けることができる。分極部材および／またはコーディング部材は、コネクタの完成後においてさえ、設けることができる。
【０００８】
有利には、連結ピースには、オフセットされた連結手段の間に、開裂箇所が設けられる。これにより、本発明におけるコネクタの製造が単純化され、連結ピースを所望長さへと切り離すことにより、ただ１つの連結ピースを使用することによって、所望数のコネクタを組み立てることができる。
【０００９】
一般に、コネクタは、様々な数の対をなすコンタクト部材を有するものとして構成され、コンタクト部材の対の間には、接地用コンタクト部材を備えている。特許文献１に開示されているように、様々な信号用コンタクト部材対と接地用コンタクト部材のオーダーは、一連をなすコネクタウェハ内において変更される。本発明においては、製造時に、オフセットされた連結手段を有した連結ピースを側部に配置することによって、複数のコネクタウェハが互いに適切に隣接して配置されることが、保証され、この場合、連結ピースの連結手段は、コネクタウェハの分極手段と協働する分極手段を有している。分極手段は、容易な態様で得ることができる。本発明の有利な実施形態においては、連結ピースの連結手段は、様々なサイズを有した連結スロットとして形成され、コネクタウェハの分極手段は、様々なサイズを有した連結リッジとして形成される。
【００１０】
本発明の他の見地においては、コネクタが提供され、このコネクタは、底壁と、互いに反対側に位置しかつ起立した２つの側壁と、を備えたハウジングを具備し、底壁と両側壁とによって、コネクタを受領するための受領スペースが形成され、底壁は、複数のコンタクト部材からなる複数のカラムを収容し、両側壁のうちの少なくとも一方には、分極および／またはコーディング手段が設けられ、このようなコネクタにおいて、分極および／またはコーディング手段は、対応する側壁に対して隣接しつつハウジング内に着脱可能に取り付けられた少なくとも１つの分極部材の一部とされていることを特徴としている。
【００１１】
本発明は、さらに、コネクタを組み立てるためのコネクタ組立システムであって、コネクタウェハと、最大数の互いにオフセットされた一連の連結手段を有した連結ピースと、を具備し、連結ピースには、複数のコンタクト部材からなる様々な数のカラムを有した様々なコネクタの組立を可能とし得るよう、オフセットされた連結手段の間に、開裂箇所が設けられているコネクタ組立システムが提供される。
【００１２】
さらに、本発明は、コネクタを組み立てるための方法を提供するものであり、この方法においては、複数のコネクタウェハを準備するとともに、各コネクタウェハを、ハウジングを備えたものとし、さらに、このハウジングを、両サイドに位置したサイドエッジを有したものとし、さらに、これらサイドエッジの少なくとも一方を、連結手段を有したものとし、一連をなす複数の連結手段を有した連結ピースを準備し、少なくとも１つの連結ピースを使用して所望数のコネクタウェハを連結する。本発明においては、連結ピースに、コネクタウェハの対応連結手段に対して係合し得るよう、互いにオフセットした連結手段を設け、隣接したコネクタウェハを、連結ピースを使用して相互連結することにより、オフセットさせつつ位置決めする。
【発明を実施するための最良の形態】
【００１３】
以下においては、本発明によるコネクタのいくつかの実施形態を概略的に図示している添付図面を参照しつつ、本発明について、さらに説明する。
【００１４】
図１Ａおよび図１Ｂは、コネクタウェハ１の一例を示している。コネクタウェハ１を使用することにより、図２〜図４に示すような本発明によるコネクタの様々な実施形態を組み立てることができる。図示のように、コネクタウェハ１は、この例においては４つのケーブル２を収容するケーブルコネクタのためのコネクタウェハとして使用し得るよう、構成されている。この場合、各ケーブル２は、図示されてはいないものの、様々な対をなす複数の信号導体と、１つまたは複数の接地導体と、を備えている。信号導体と接地導体とは、コネクタウェハ１のハウジング３内に収容されているコンタクト部材に対して接続される。ハウジング３は、両サイドに位置したサイドエッジ４と、挿入サイド５と、を備えている。挿入サイド５には、開口６が設けられている。開口６により、ハウジング３内に収容されたコンタクト部材に対するアクセスが可能とされている。さらに、ハウジングは、背面７と、両主面８，９と、を備えている。ケーブル２は、背面７からハウジング３内へと導入されている。図１Ｂからわかるように、コネクタウェハ１は、そのままで、ケーブルコネクタとして使用することができ、第２コネクタ１１のハウジング１０内へと導入することができる。第２コネクタ１１は、図示していないものの、プリント回路基板に対して取り付けることができる。第２コネクタ１１は、底壁１２と、両サイドに位置しかつ起立した２つの側壁１３，１４と、を備えている。底壁１２および側壁１３，１４は、受領スペース１５を形成している。受領スペース１５内には、多数のコンタクト部材１６を見ることができる。コネクタウェハ１は、その挿入サイド５を受領スペース１５内へ挿入することができる。これにより、コネクタウェハ１のコンタクト部材と、第２コネクタ１１のコンタクト部材１６と、を相互接続することができる。
【００１５】
図２〜図４は、本発明によるコネクタの様々な実施形態として、互いに異なる３つのコネクタ１７，１８，１９を示している。コネクタ１７は、２つのコネクタウェハ１を備えており、コネクタ１８は、４つのコネクタウェハ１を備えており、コネクタ１９は、８個のコネクタウェハ１を備えている。コネクタウェハ１どうしは、連結ピース２０によって、サイドエッジ４どうしが連結されているあるいは相互連結されている。連結ピース２０は、図２，図３，図４の各実施形態において、それぞれ異なる長さのものとされている。一方のサイドエッジだけにおいて、１つの連結ピース２０だけを使用することができる。しかしながら、双方のサイドエッジにおいて、連結ピースを使用することが好ましい。図２Ｂ〜図４Ｂに示すように、コネクタ１７〜１９は、第２コネクタ１１内に挿入することができ、その場合、コネクタ１７〜１９のコネクタウェハ１の構成およびピッチは、２つ以上のコネクタ１７〜１９を第２コネクタ１１内へと挿入し得るようなものとされる。
【００１６】
図６Ａ〜図６Ｃは、図２に示すコネクタ１７における連結ピース２０を様々な図によって示している。この連結ピースは、コネクタウェハ１の対応する連結手段２２と協働し得るような互いに隣接した２つの連結手段２１を備えている。この実施形態においては、連結ピース２０の連結手段２１は、図６Ａ〜図６Ｃからわかるように、鳩尾形状の（あるいは、あり継ぎ接続の）横断面を有した連結スロットとして形成されている。コネクタウェハ１の連結手段２２は、双方のサイドエッジ４上に位置した連結リッジ２２として形成されている。これら連結リッジ２２は、対応した鳩尾形状横断面を有している。これにより、連結ピース２０とコネクタウェハ１との間において、堅固な相互接続を達成することができる。連結ピース２０は、背面から挿入サイドに向けて、あるいはその逆に挿入サイドから背面に向けて、コネクタウェハ１内へとスライドさせることができる。連結スロット２１および連結リッジ２２の長手方向断面形状においては、スロット２１およびリッジ２２は、比較的長尺の互いに協働する表面を有している。これにより、コネクタウェハ１の正確な位置決めを行うことができる。特に図６Ｃからわかるように、左側の連結スロット２１は、隣接した連結スロット２１からオフセットされている。これにより、隣接したコネクタウェハ１は、互いにオフセットして位置決めされる。これにより、コンタクト部材からなる各カラムは、コンタクト部材からなる隣接カラムに対して、オフセットされている。特許文献１に開示されているように、このようにして、クロストークを低減させることができる。さらなる説明に関しては、特許文献１を参照することができる。本発明は、互いに隣接した連結手段２１を備えた連結ピース２０を提供することに関するものであって、本発明においては、各連結手段２１は、隣接した連結手段２１からオフセットされている。所望数のコネクタウェハ１を備えたコネクタであるとともに、各コネクタウェハ１が、隣接したコネクタウェハ１からオフセットされており、これにより、コンタクト部材からなる隣接カラムどうしがオフセットされているような、コネクタを比較的容易に製造することができる。
【００１７】
本発明によるコネクタ組立システムにおいては、任意の所望数のコネクタウェハ１を備えたコネクタを組み立てることが、比較的容易である。図５においては、標準的な連結ピース２０が図示されており、この連結ピース２０は、一連をなす８個の連結スロット２１を備えている。複数の連結スロットは、図６の連結ピースの場合と同様に、互いにオフセットした態様で構成されている。すなわち、各連結スロット２１は、隣接した連結スロット２１に対してオフセットされている。コネクタ１８が、互いに組み立てられるべき４つのコネクタウェハ１を備えている場合には、図５の連結ピース２０は、２つの部材へと分解され、各部材は、４つの連結スロット２１を有することとなる。同様にして、２個から最大で７個の連結スロット２１を備えた連結ピースは、１個から最大で６個の連結スロット２１を除去することにより、得ることができる。図５の連結ピース２０において、一部を除去することは、互いにオフセットされた２つの連結スロット２１からなる組どうしの間に開裂箇所２３を設けることにより、容易に行うことができる。図５および図６からわかるように、開裂箇所２３は、互いに反対側に位置した２つのグルーブ２４によって得られる。グルーブ２４は、好ましくは、Ｖ字形状のものとされる。必要に応じて、開裂箇所を有した連結ピースには、オフセットされていない連結手段を設けることができる。これにより、連結されたコネクタウェハのコンタクト部材の複数のカラムは、通常通りに位置合わせされることとなる。
【００１８】
図２〜図４に示す様々な実施形態においては、すべてのコネクタ１７〜１９は、互いに同じカラムピッチを有している。これにより、隣接したコネクタウェハ１の互いに対向した主面８，９は、互いに接触することとなる。本発明によるコネクタ組立システムにおいては、同じコネクタウェハ１を使用して、様々なカラムピッチを有したコネクタを製造することができる。この目的のために、様々な連結ピース２０において、隣接した連結スロット２１のピッチを様々なものとすることができる。連結スロット２１のピッチが、組み立てられたコネクタのカラムピッチを決定することにより、適切な連結ピース２０を提供することによって、任意の所望のカラムピッチを有したコネクタを製造することができる。
【００１９】
図５および図６に示すように、連結スロットは、左側のスロット２１が右側のスロット２１とは異なるサイズを有していることのために、隣接したコネクタウェハの分極／コーディングを提供する。このようにして、特許文献１に開示されているように、様々なオーダーの信号用コンタクト部材および接地用コンタクト部材を有したコネクタウェハを、互いに隣接したコネクタウェハ１として使用することを、保証することができる。
【００２０】
本発明による連結ピース２０においては、延長した連結ピースを使用することができる。すなわち、背面７から、最大で、コネクタウェハ１の挿入サイド５にまで、実質的に延長されたような連結ピースを使用することができる。例示するならば、図７Ａおよび図７Ｂは、そのような延長部分２６，２７を有した連結ピース２５を示している。この場合、連結スロット２１は、連結ピース２５の全長さに沿って延在している。さらに、このように、この場合、延長部分２６，２７には、分極およびコーディング部材２８，２９を設けることができる。連結ピース２５に対して様々な分極およびコーディング部材２８，２９を設けることによって、コネクタは、任意の所望のタイプの分極およびコーディング部材を有したものとして、製造することができる。さらに、コネクタの完成後であってさえ、コネクタの分極／コーディング部材を変更することができる。
【００２１】
図８および図９は、同じ参照符号３０によって示されているような、本発明によるコネクタの様々な実施形態を示している。コネクタ３０は、コネクタウェハ１と同様にして主に形成された２つのコネクタウェハ３１を備えている。コネクタウェハ３１は、２つの連結ピース３２によって相互連結されている。連結ピース３２は、コネクタウェハ３１の双方のサイドエッジ４上に設けられた対応連結手段３４と協働し得るような、互いに隣接しかつオフセットされた連結手段３３を備えている。図８Ａおよび図８Ｂは、組み立てられた状態で、コネクタ３０を示している。一方、図９Ａおよび図９Ｂは、コネクタウェハ３１から分離した状態でもって、連結ピース３２を図示している。特に図８Ａおよび図９Ａからわかるように、コネクタウェハ３１の挿入サイド５の近傍に配置された連結ピース３２は、分極／コーディング部材３５を備えている。
【００２２】
図８および図９の実施形態においては、連結ピース３２は、上記実施形態の場合のようにスライドさせることによってではなく、スナップ止め／クリッキングすることによって、コネクタウェハ３１上へと取り付けられている。連結ピース３２の連結手段３３は、コネクタウェハ３１の連結手段の対応鳩尾形状エッジ３７と協働す鳩尾形状エッジ３６を備えている。さらなる位置決め突起３８が、コネクタウェハ３１の位置決め凹所３９と協働する連結ピース３２上に、設けられている。
【００２３】
図１０Ａ〜図１０Ｄは、参照符号４０によって、本発明による第２コネクタを示している。図１〜図４に示すコネクタ１１の場合と同様に、コネクタ４０は、底壁１２と、両サイドに位置しかつ起立した２つの側壁１３，１４と、を備えている。この場合、側壁１３は、フラットな側壁とされ、上端のところに取付凹所４１を有しているとともに、底壁１２内に隣接した取付凹所４２を有している。このようにして、図１０Ｃおよび図１０Ｄにおいて概略的に図示するように、分極／コーディング部材４３を、側壁１３に隣接させて取り付けることができる。着脱可能に取り付けられた分極／コーディングにより、適切な部材４３を提供することによって、任意の所望のタイプの分極／コーディング部材を備えたものとして、コネクタ４０を組み立てることができる。
【００２４】
図１１および図１２は、２つの分極／コーディング部材４３を有したコネクタ４０の一実施形態と、コネクタ４０内に挿入されたコネクタ１９の一実施形態と、を示している。詳細には図示していないものの、ラッチ部材４４が、２つのコーディング部材４３の間に取り付けられている。これにより、コネクタ４０内におけるコネクタ１９の活性なラッチ係合を提供することができる。ラッチ部材４４を有したコネクタ４０は、同じ出願日付けで同じ出願人によって出願された係属中の特許出願に、さらに記述されている。さらなる説明については、その特許出願を参照することができる。
【００２５】
図１３Ａおよび図１３Ｂは、参照符号４５によって、本発明によるコネクタのさらなる実施形態を示している。図１３Ａは、ケーブルの図示を省略しつつ、組み立てられた状態でもって、コネクタ４５を示している。一方、図１３Ｂは、使用されている２つの連結ピース４６から分離された状態でもって、コネクタウェハ１を示している。連結ピース４６の各々には、上述したように互いにオフセットされかつ互いに異なるサイズを有した連結ピース２０の場合と同じ連結スロット２１が設けられている。この場合、連結ピース４６には、コネクタウェハ１の主面８，９および背面７を囲んでいるカバー部材４７，４８が設けられている。この実施形態は、図５および図６に示す連結ピース２０の構成に対して、任意の所望の態様でもってコネクタを完成させ得るようなさらなる他の部材を備え得ることを、示している。
【００２６】
本発明は、上記実施形態に制限されるものではなく、本発明においては、特許請求の範囲内において、上記実施形態を多様に変更することができる。
【図面の簡単な説明】
【００２７】
【図１Ａ】本発明によるコネクタにおいて使用されるコネクタウェハの一実施形態を示す図である。
【図１Ｂ】本発明によるコネクタにおいて使用されるコネクタウェハの一実施形態を示す図である。
【図２Ａ】異なる数のコネクタウェハを備えているような、本発明によるコネクタの他の実施形態を示す図である。
【図２Ｂ】異なる数のコネクタウェハを備えているような、本発明によるコネクタの他の実施形態を示す図である。
【図３Ａ】異なる数のコネクタウェハを備えているような、本発明によるコネクタのさらに他の実施形態を示す図である。
【図３Ｂ】異なる数のコネクタウェハを備えているような、本発明によるコネクタのさらに他の実施形態を示す図である。
【図４Ａ】異なる数のコネクタウェハを備えているような、本発明によるコネクタのさらなる実施形態を示す図である。
【図４Ｂ】異なる数のコネクタウェハを備えているような、本発明によるコネクタのさらなる実施形態を示す図である。
【図５】図２〜図４に示すコネクタにおいて使用される連結ピースを示す図である。
【図６Ａ】図２Ａに示すコネクタにおいて使用される連結ピースを様々な角度から示す図である。
【図６Ｂ】図２Ａに示すコネクタにおいて使用される連結ピースを様々な角度から示す図である。
【図６Ｃ】図２Ａに示すコネクタにおいて使用される連結ピースを様々な角度から示す図である。
【図７Ａ】本発明によるコネクタにおいて使用し得る連結ピースの他の実施形態を示す図である。
【図７Ｂ】本発明によるコネクタにおいて使用し得る連結ピースの他の実施形態を示す図である。
【図８Ａ】他の実施形態をなす連結ピースを備えているような、本発明によるコネクタの他の実施形態を示す図である。
【図８Ｂ】他の実施形態をなす連結ピースを備えているような、本発明によるコネクタの他の実施形態を示す図である。
【図９Ａ】さらに他の実施形態をなす連結ピースを備えているような、本発明によるコネクタのさらに他の実施形態を示す図である。
【図９Ｂ】さらに他の実施形態をなす連結ピースを備えているような、本発明によるコネクタのさらに他の実施形態を示す図である。
【図１０Ａ】本発明によるコネクタのさらなる実施形態を示す図である。
【図１０Ｂ】本発明によるコネクタのさらなる実施形態を示す図である。
【図１０Ｃ】本発明によるコネクタのさらなる実施形態を示す図である。
【図１０Ｄ】本発明によるコネクタのさらなる実施形態を示す図である。
【図１１】本発明によるコネクタの様々な実施形態からなるコネクタアセンブリを示す図である。
【図１２】本発明によるコネクタの様々な実施形態からなるコネクタアセンブリを示す図である。
【図１３Ａ】本発明によるコネクタのさらなる実施形態を示す図である。
【図１３Ｂ】本発明によるコネクタのさらなる実施形態を示す図である。
【符号の説明】
【００２８】
１  コネクタウェハ
３  ハウジング
４  サイドエッジ
５  挿入サイド
６  開口
７  背面
８  主面
９  主面
１０  ハウジング
１１  第２コネクタ
１２  底壁
１３  側壁
１４  側壁
１５  受領スペース
１６  コンタクト部材
１７  コネクタ
１８  コネクタ
１９  コネクタ
２０  連結ピース
２１  連結スロット
２３  開裂箇所
２４  グルーブ
２８  分極／コーディング部材
２９  分極／コーディング部材
３０  コネクタ
３１  コネクタウェハ
３２  連結ピース
３５  分極／コーディング部材
【図１Ａ】
2008503861.tif 000003
【図１Ｂ】
2008503861.tif 000004
【図２Ａ】
2008503861.tif 000005
【図２Ｂ】
2008503861.tif 000006
【図３Ａ】
2008503861.tif 000007
【図３Ａ】
2008503861.tif 000008
【図３Ｂ】
2008503861.tif 000009
【図４Ｂ】
2008503861.tif 000010
【図５】
2008503861.tif 000011
【図６Ａ】
2008503861.tif 000012
【図６Ｂ】
2008503861.tif 000013
【図６Ｃ】
2008503861.tif 000014
【図７Ａ】
2008503861.tif 000015
【図７Ｂ】
2008503861.tif 000016
【図８Ａ】
2008503861.tif 000017
【図８Ｂ】
2008503861.tif 000018
【図９Ａ】
2008503861.tif 000019
【図９Ｂ】
2008503861.tif 000020
【図１０】
2008503861.tif 000021
【図１１】
2008503861.tif 000022
【図１２】
2008503861.tif 000023
【図１３Ａ】
2008503861.tif 000024
【図１３Ｂ】
2008503861.tif 000025
【国際調査報告】
2008503861.tif 000026
2008503861.tif 000027